(57)【要約】      （修正有）【課題】交換式歯ブラシの掛合構造及びそのブラシにおいて、安定して固定、交換可能とする。【解決手段】掛合構造は、掛合固定片１０及び交換されるブラシ２０を備え、掛合固定片１０の端部は弾性フック１２を備え、弾性フック１２はブラシを交換式で固定する受台上に設ける。ブラシは、ブラシ台２１及びブラシ毛２２を備え、ブラシ台２１は基板２１１及び基板２１１の縁辺の一側を囲む囲み板２１２を備え、該囲み板２１２には弾性フック１２を掛合する掛合溝２１４を設けると共に、ブラシ毛２２を基板２１１に直立して設ける。【選択図】図１
0003203478.tif 000002
【実用新案登録請求の範囲】
【請求項１】
交換式歯ブラシの掛合構造において、
歯ブラシは、交換されるブラシを設置される受台を備え、
該掛合構造は、掛合固定片端部に弾性フックを備え、
上記ブラシは、1側に多数のブラシ毛を直立して設けた基板とその反対側の面の縁辺を囲んで設けた囲み板を備えたブラシ台からなり、該ブラシ台の囲み板に上記弾性フックを掛合する掛合溝を設けて
該ブラシを交換可能に固定した
ことを特徴とする交換式歯ブラシの掛合構造。
【請求項２】
前記交換式歯ブラシの掛合構造は、更に台板を備え、
前記基板と囲み板とにより前記掛合構造を収容する開口収容凹部を形成して、該台板は該開口収容凹部内に納置して前記受台に固定してなる、ことを特徴とする請求項１記載の交換式歯ブラシの掛合構造。
【請求項３】
前記台板の前記受台に相対する端面には縦向連通開口と、該縦向連通開口と相互に通じる横向縦向連通開口を設置し、該縦向連通開口の中段には三角ブロックが形成され、該三角ブロックの両側に沿って該横向縦向連通開口の位置まで、それぞれ停止斜面を設けたことを特徴とする請求項２記載の交換式歯ブラシの掛合構造。
【請求項４】
前記弾性フックは、長手方向に沿って延長された縱向段、該縱向段から外側向きに拡大してフックを形成した横向段及び該横向段から先端方向に窄まって傾斜延長する斜向段を備え、該縱向段は該縦向連通開口内にセットし、該横向段は該横向縦向連通開口内にセットし、該斜向段は該三角ブロックと該停止斜面の間にセットすることを特徴とする請求項３記載の交換式歯ブラシの掛合構造。
【請求項５】
前記該横向段と該斜向段は、その相互接続する箇所の外側に、フック角を形成し、該フック角は該横向縦向連通開口の外部から突出、露出して前記ブラシ台の囲み板に設けた掛合溝に掛合することを特徴とする請求項４記載の交換式歯ブラシの掛合構造。
【請求項６】
前記台板の四隅に固定柱をそれぞれ凸設し、各該固定柱で該受台に固定することを特徴とする請求項５記載の交換式歯ブラシの掛合構造。
【請求項７】
前記弾性フックは、該掛合固定片の端部に矢印形の開口を形成し、その両側に、それぞれ該弾性フックとして形成してなることを特徴とする請求項１記載の交換式歯ブラシの掛合構造。
【請求項８】
交換式歯ブラシのブラシにおいて、
交換されるブラシが、
多数のブラシ毛を直立させて設けた基板及び該基板の他側の縁辺を囲む囲み板を備え、該囲み板側壁には掛合溝を設けたブラシ台からなることを特徴とする交換式歯ブラシのブラシ。
【請求項９】
前記ブラシ台には基板と該囲み板とにより、ブラシの交換のための着脱機構を収容する開口収容凹部を形成したことを特徴とする請求項８記載の交換式歯ブラシのブラシ。
【考案の詳細な説明】
【技術分野】
【０００１】
本考案は、交換式歯ブラシに関するもので、特に交換式歯ブラシの掛合構造及びそのブラシに係る。
【背景技術】
【０００２】
現在、市場で販売されている歯ブラシは、ほとんどがプラスチック材で製造されていて、その使用寿命は通常三ヶ月程度で、歯ブラシのブラシ毛は歯に擦られ続けることによって、一定度の摩耗が発生し、洗浄機能が下がり、細菌が発生しやすくなるため、廃棄しなければならない。しかしながら、これは資源の浪費であり、環境保護に良くない。
【０００３】
業界では前述の問題を有効に改善するため、ブラシを交換する歯ブラシをデザインしている。それは主にグリップ及びグリップに連接するブラシからなる。ブラシはグリップと連接する台座及びブラシ毛が植えられた歯ブラシ片を備える。そのうち、台座と歯ブラシ片は互いに嵌合して結合する嵌合構造を備え、交換式ブラシの歯ブラシが構成される。
【先行技術文献】
【特許文献】
【０００４】
【特許文献１】実開平２−６８７２４号公報
【考案の概要】
【考案が解決しようとする課題】
【０００５】
解決しようとする問題点として、前述の交換式の歯ブラシは、実際の使用過程において、嵌合方式によって固定すると、一定使用期間後に嵌合部が広がって緩み、外れてしまいやすくなる点である。
【課題を解決するための手段】
【０００６】
本考案は、掛合構造に掛合固定片及びブラシを備え、掛合固定片の端部は弾性フックを備え、弾性フックは受台上に設置する。ブラシは交換式で受台に設置し、ブラシはブラシ台及びブラシ毛を有し、ブラシ台は基板及び基板の縁辺から一側へ伸びる囲み板を備え、囲み板には弾性フックを掛合する掛合溝を設置する。各ブラシ毛は基板上に設置して且つ囲み板から遠ざかる方向に伸びることを最も主要な特徴とする。
【考案の効果】
【０００７】
本考案の交換式歯ブラシの掛合構造及びそのブラシは、ブラシ台の掛合解除と離脱だけでなく、更にブラシ台を受台に安定して設置する。また、基板と囲み板で共同して開口収容凹部を形成することにより、受台と組立後安定した結合形態を形成し、各弾性フックが停止斜面を押すことで、省力効果を達成するという利点がある。
【図面の簡単な説明】
【０００８】
【図１】本考案の交換式歯ブラシの掛合構造の立体分解図である。
【図２】本考案の交換式歯ブラシを応用した立体分解図である。
【図３】本考案の交換式歯ブラシを応用した組立断面図である。
【図４】本考案の交換式歯ブラシを応用した別の方向から見た組立断面図である。
【図５】本考案の交換式歯ブラシを応用した使用状態断面図である。
【図６】本考案の交換式歯ブラシを応用した使用状態別の断面図である。
【考案を実施するための形態】
【０００９】
ブラシ台の掛合解除と離脱だけでなく、更にブラシ台を受台に安定して設置する交換式歯ブラシの掛合構造及びそのブラシを提供することを本考案の目的とする。
【００１０】
上述の目的を達成するため、本考案は交換式歯ブラシの掛合構造を提供する。該歯ブラシはブラシを交換可能に固定する受台を備え、該掛合構造は、端部に弾性フックを設けた掛合固定片を備え、該弾性フックは該受台上に設置する。該ブラシは交換式で、該受台に設置され、該ブラシは、ブラシ台及び多数のブラシ毛を備え，該ブラシ台は基板及び該基板の縁辺から一側へ伸びる囲み板を有し，該囲み板には該弾性フックを掛合する掛合溝を設け、該基板の反対面にはブラシ毛を直立して設ける。
【００１１】
上述の目的を達成するため、本考案は交換式歯ブラシのブラシを提供し、ブラシ台及び多数のブラシ毛を含む。該ブラシ台は基板及び該基板の縁辺から一側へ伸びる囲み板を含み，該囲み板には掛合溝を設置する。各該ブラシ毛は該基板上に設置し、且つ該囲み板から遠ざかる方向に伸びる。
【実施例】
【００１２】
本考案の詳細な説明と技術内容について、図式と共に以下に説明する。但し、図式は説明のために提供するものに過ぎず、本考案を制限するものではない。
【００１３】
図１に示すとおり、本考案は、交換式歯ブラシの掛合構造を提供し、その掛合構造１は、掛合固定片１０及びブラシ２０を有する。
【００１４】
掛合固定片１０は、ステンレス等の金属材で製造した細長状の板片で、掛合固定片１０の前端中央部には矢印形の開口１１を成形し、開口１１の両側はそれぞれ弾性フック１２を形成する。各弾性フック１２は軸方向に延長される縱向段１２１、縱向段１２１の末段から外側に張り出す横向段１２２及び横向段１２２から内向きで且つ傾斜して延長する斜向段１２３を備え、各弾性フック１２は先端が窄まり基部が拡大した台形状を構成し、更に横向段１２２と斜向段１２３の相互に接する位置にはフック角１２４を設ける。
【００１５】
ブラシ２０は、ブラシ台２１及び多数のブラシ毛２２からなる。ブラシ台２１はプラスチック等の材質で製造され、それは基板２１１及び基板２１１の縁辺から一側向きに伸びる囲み板２１２を有する。基板２１１と囲み板２１２によって開口収容凹部２１３を構成し、囲み板２１２の下側には掛合溝２１４を設置する。ブラシ毛２２は基板２１１上に設置し、且つ囲み板２１２から離れる方向に直立する。
【００１６】
本考案の掛合構造１は、更に台板３０を備える。それは前述の開口収容凹部２１３内に収容され、台板３０の一端面には縦向連通開口３１と、縦向連通開口３１と相互に通じる横向縦向連通開口３２を形成し、縦向連通開口３１の中段位置には三角ブロック３３が凸設され、更に、三角ブロック３３の両側に沿って横向縦向連通開口３２の位置まで、それぞれ停止斜面３４が形成される。
また、台板３０の四隅位置には、それぞれ固定柱３５を凸設する。前記掛合固定片１０の各縱向段１２１は縦向連通開口３１内にセットされ、各横向段１２２は横向縦向連通開口３２内に設置され、各斜向段１２３は三角ブロック３３と各停止斜面３４の間にセットされ、且つ各フック角１２４は、それぞれ横向縦向連通開口３２から外部に露出し、突出して前述の掛合溝２１４に掛合する(図４参照)。
【００１７】
図２から図４に示すとおり、本考案の掛合構造１は、交換式歯ブラシ５上に組み立てる。その交換式歯ブラシ５は、グリップ５０、ブラシハンドル部前段５１、押片５２、受圧部品５３、圧縮バネ５４及び回転腕５５を備える。そのうち、掛合固定片１０と押片５２は相互に重ね合わせ、且つブラシハンドル部前段５１の内部に挿入する。ブラシハンドル部前段５１は、前記ブラシ台２１に対する受台５１１を備え、前述の弾性フック１２と押片５２の前端は受台５１１上に位置して、台板３０の固定柱３５を受台５１１に挿入することによって、弾性フック１２と押片５２の前端が台板３０と受台５１１の間に設置される。受圧部品５３は圧縮バネ５４を連ねてグリップ５０内部に収容する。ブラシハンドル部前段５１の後端はグリップ５０に挿入して設置し、ネジ等で掛合固定片１０と押片５２の後端をネジ止めしてグリップ５０に固定する。回転腕５５はグリップ５０に枢設し、且つ回転腕５５は掛合凸部５５１を備える。
【００１８】
図５及び図６に示すとおり、使用時には回転腕５５の枢設箇所を回転の中心として上に回し、掛合凸部５５１をグリップ５０から外し、続いてブラシハンドル部前段５１をグリップ５０の収納空間方向へ押入れると、その時押片５２は固定されて動かず、受台５１１は下向きに移動し、停止斜面３４に沿って各弾性フック１２をその内側に押入れ、各弾性フック１２のフック角１２４が掛合溝２１４と横向縦向連通開口３２から離れて、ブラシ台２１と受台５１１の掛合固定を解除し、同時にブラシ台２１の最上縁は押片５２に押圧されてブラシ台２１を受台５１１から遠ざかる方向へ押し出し、分離する。
【００１９】
上述のとおり、本考案の交換式歯ブラシの掛合構造及びそのブラシ，は所期の使用目的を達成し、公知の欠点を改善し、更に新奇性及び進歩性に優れ、拠って実用新案の要件に符合する。
【符号の説明】
【００２０】
１        掛合構造
１０        掛合固定片
１１        開口
１２        弾性フック
１２１        縱向段
１２２        横向段
１２３        斜向段
１２４        フック角
２０        ブラシ
２１        ブラシ台
２１１        基板
２１２        囲み板
２１３        開口収容凹部
２１４        掛合溝
２２        ブラシ毛
３０        台板
３１        縦向連通開口
３２        横向縦向連通開口
３３        三角ブロック
３４        停止斜面
３５        固定柱
５        交換式歯ブラシ
５０        グリップ
５１        ブラシハンドル部前段
５１１        受台
５２        押片
５３        受圧部品
５４        圧縮バネ
５５        回転腕
５５１        掛合凸部
【図１】
0003203478.tif 000003
【図２】
0003203478.tif 000004
【図３】
0003203478.tif 000005
【図４】
0003203478.tif 000006
【図５】
0003203478.tif 000007
【図６】
0003203478.tif 000008